(57)【要約】      （修正有）【課題】水中ポンプ等のホースの巻き取りに於いて、腰を曲げず、ズムーズに、安全に作業、体に負担が掛らない、ホース巻取り器を提供する。【解決手段】ホース巻き取り器は、金属棒の第一の縦軸１ａ、第二の縦軸１ｂの二本と、第一の横軸２ａ、第二の横軸２ｂ、第三の横軸２ｃ、第四の横軸２ｄの四本とを上側から下側に向けて梯子状に組み合せ、第一の縦軸１ａの外側で、第二の横軸２ｂの上側に第一廻し手３ａを取り付け、第二の縦軸１ｂの外側で、第三の横軸２ｄの下側に、第二廻し手３ｂを取り付け，第二の縦軸１ｂの略中央部で第二の横軸２ｂと第三の横軸２ｃの間にホース挿入口５を設け、巻かれたホースを留める為にゴムバンド４、を第一の縦軸１ａに取付ける事を特徴とする。【選択図】図１
0003215800.tif 000002
【実用新案登録請求の範囲】
【請求項１】
金属棒の第一の縦軸（1a）、第二の縦軸（１b）の二本と、第一の横軸（２a）、第二の横軸（２b）、第三の横軸（２ｃ）、第四の横軸（2d）の四本とを上側から下側に向けて梯子状に組み合せ、第一の縦軸（１a）の外側で、第二の横軸（２b）の上側に第一廻し手（３a）を取り付け、第二の縦軸（１b）の外側で、第三の横軸（２d）の下側に、第二廻し手（３b）を取り付け，第二の縦軸（１b）の略中央部で第二の横軸（２b）と第三の横軸（２c）の間にホース挿入口（５）を設けている事を特徴とするホース巻取り器。
【請求項２】
ホース巻取り器により、巻かれたホースを留める為に、留ゴムバンド（４）を第一の縦軸（１a）に取付ける事を特徴とする請求項１に記載のホース巻取り器。
【請求項３】
第一の縦軸（１a）と第二縦軸（１b）それぞれの両端を、ホースが容易にホース巻取り器に収まる様に外側に折り曲げる事を特徴する請求項１または請求項２に記載のホース巻取り器。
【考案の詳細な説明】
【技術分野】
【０００１】
本考案は、水中ポンプのホースをスムーズに簡単に、腰を曲げず楽に巻き取りが出来る、ホース巻取り器に関する。
【背景技術】
【０００２】
マンホール、下水、湧水等の吸水、排水時に於いて  従来の水中ポンプのホースの収納時にその収納作業は腰を曲げホースの端から手巻きで巻く、方法しかなく作業性も悪く、体にも苦痛を与えた、又手に依っての巻き付けは時間が掛かり、排水終了時のホース中の残留水をホースから抜か無いと、ホースが膨れ、手巻きが出来なかった。
【先行技術文献】
【特許文献】
【０００３】
【特許文献１】実開平6−５６０６７号公報
【考案の概要】
【考案が解決しようとする課題】
【０００４】
従来の水中ポンプのホース等の収納時に於いて、ホースの残留水を抜き、ホースの端から腰をかがめて手巻きで巻く方法しか無く、健康的にも悪く、作業能率、安全性にも劣っていた。  本考案のホース巻取り器は、体に負担が掛からず、作業時間の短縮、より安全作業、の必要性を考慮したものである。
【課題を解決するための手段】
【０００５】
本考案のホース巻き取り器は、金属棒の第一の縦軸（1a）、第二の縦軸（１b）の二本と、第一の横軸（２a）、第二の横軸（２b）、第三の横軸（２ｃ）、第四の横軸（2d）の四本とを上側から下側に向けて梯子状に組み合せ、第一の縦軸（１a）の外側で、第二の横軸（２b）の上側に第一廻し手（３a）を取り付け、第二の縦軸（１b）の外側で、第三の横軸（２d）の下側に、第二廻し手（３b）を取り付け，第二の縦軸（１b）の略中央部で第二の横軸（２b）と第三の横軸（２c）の間にホース挿入口（５）を設け、巻かれたホース（６）を留める為にゴムバンド（４）、を第一の縦軸（１a）に取付ける事を特徴とする。ホース挿入口（５）からホース（６）の全長の１/２の長さの処に差込み、ホース（６）は吸水口側（６a）を第一の横軸（２a）第二の横軸（２b）の後側に、排水口側（６b）を第三の横軸（２c）第四の横軸（２d）の前側に成る様に、ホース巻取り器を設置する、第一廻し手（３a）と第二廻し手（3b）を上下に回し、ホース（６）を巻て、第一の縦軸(1a)に取り付たゴムバンド（４）で留める、事を特徴とする。
【考案の効果】
【０００６】
本考案のホース巻取り器はホースの全長の半分の処に、このホース巻取り器を設置するので、一回の回しでホース（６）の吸水口側（６a）と排水口側(6ｂ)の往復が巻き取られ、その巻取り長はホース（６）の半分長でホース（６）の全長が巻取りが出来る、巻取り時の体も直立姿勢で、第一廻し手（３a）と第二廻し手（3ｂ）を上下に回すだけで、力も余りいらず、  ホース（６）の残留水も巻取り器に巻く時に、ホース（６）が圧迫され吸水口側（６a）と排水口側(6b)に残留水が押し出され、巻取りに支障はない。又従来の汚水に依り作業服の汚れも解消できる。又ホース（６）が往復で巻かれ、全長の半分の長さの巻取りでよく、作業時間の短縮に成り、腰の高さで巻くので、体を直立姿勢で、腰に負担が掛からないので健康的にも良い、立つての作業が出来、周囲の交通車両や歩行者にも注意が出来、安全作業が出来る。
【図面の簡単な説明】
【０００７】
【図１】本考案のホース巻取り器の全体を示す図である。
【図２】本考案のホース巻取り器にホースを巻き込んだ状態を示す図である
【図３】本考案のホース巻取り器にホースを巻いた状態を示す図である。
【考案を実施するための形態】
【０００８】
本考案のホース巻き取り器は金属棒の第一の縦軸（1a）第二の縦軸（１b）の二本と、第一の横軸（２a）第二の横軸（２b）第三の横軸（２ｃ）第四の横軸（2d）四本とを上側から下側に向けて梯子状に組み合せ、第一の縦軸（１a）の外側で、第二の横軸（２b）の上側に第一廻し手（３a）を取り付け、第二の縦軸（１b）の外側で、第三の横軸（２d）の下側に、第二廻し手（３b）を取り付ける，第二の縦軸（１b）の中央部にホース挿入口（５）を設けて、そのホース挿入口（５）からホース（６）の全長の１/２の長さの処に差込み、ホース（６）は吸水口側（６a）を第一の横軸（２a）と第二の横軸（２b）の後側に、排水口側（６b）を第三の横軸（２c）と第四の横軸（２d）の前側に成る様に、ホース巻取り器を設置する、第一廻し手（３a）と第二廻し手（3b）を上下に回す事に依り、ホースを巻き取る事が出来る。又第一の縦軸（１a）と第二の縦軸（１b）のそれぞれの両端を外側に曲げているので、ホース（６）は容易にホース巻取り器に収納出来る。巻いたホース（６）は、第一の縦軸(1a)に取り付たゴムバンドで留める、ホース（６）の整理が出来、作業時間の短縮に成り、腰の高さで巻くので、体を直立姿勢で、腰に負担が掛からないので健康的にも良い、立つての作業が出来、周囲の交通車両や歩行者にも注意が出来、安全作業が出来る。事を特徴とする、ホース巻取り器
【０００９】
又本考案のホース巻取り器を使えば、排水終了時のホース内の残留水も巻き取るホースの圧迫で、吸水口側と排水口側に排水が出来る、巻き取ったホース（６）はゴムバンド（４）で留める、立って作業が出来、周囲に注意が届き、作業時間の短縮、体の負担減、汚水に依る体の汚れ防止、に取り組みが出来る。尚第一廻し手（３a）の取付は、第一の横軸（２a）で第一の縦軸（１a）側の延長上と、又第二廻し手（３b）の取付は、第四の横軸（３ｄ）で第二の縦軸（１b）側の延長上に取付されても、ホース（６）は容易に巻く事が出来る。第一廻し手（３a）と第二廻し手（３b）の間隔が狭いと手に負担が掛り廻しずらい。ゴムバンド（４）の取付られている第一の縦軸（１a）側の第二横軸(２a)の延長上と第一の縦軸（１a）側の第四の横軸（２d）の延長上にゴムバンド（４）を引掛ける、カギ（７）を施し、ホース（６）を巻く時には、ゴムバンド（４）をこのカギ（７）に引掛けて、納めて置くと、ホース（６）の巻く時には邪魔にならない。又ホース挿入口（５）の両端を外側に曲げ、ホース（６）の挿入時、引っ掛らず容易に挿入出来る様にした。
【符号の説明】
【００１０】
１a    第一の縦軸
１b    第二の縦軸                                            
２a    第一の横軸  
２b    第二の横軸
２c    第三の横軸
２d    第四の横軸
３a    第一廻し手
３b    第二廻し手
４    ゴムバンド        
５    ホース挿入口
６    ホース
６a   吸水口側
６ｂ  排水口側
７    カギ
【図１】
0003215800.tif 000003
【図２】
0003215800.tif 000004
【図３】
0003215800.tif 000005